(57)【要約】      （修正有）【課題】ローミングサービスにおいてより使いやすい移動通信システムを提供することができる中継交換機を提供する。【解決手段】中継交換機２０は、他の通信事業者の交換機からのローミング情報に含まれている現地時刻と自交換機が位置する時刻との時差を算出して登録しておき、着信要求を受信すると時差を抽出し、時差が０でなければ、現地時刻を算出して、算出した現地時刻と着信を実行するか否かの問い合わせを発信側の移動端末に音声で通知する。【選択図】図１
2011019105.tif 000002
【特許請求の範囲】
【請求項１】
異なる通信事業者間のローミングサービスを実現する交換機であって、
自交換機が属する通信事業者が提供するサービスに加入している移動端末の端末ＩＤに対応付けて、当該移動端末が現在帰属している他の通信事業者を示すビジタＩＤ、および、当該移動端末が現在位置している地域との時差を格納する位置情報格納部と、
端末ＩＤ、および、当該端末ＩＤに対応する移動端末が属する通信事業者を識別するホームＩＤを含む位置登録要求を受信した場合に、受信した位置登録要求に含まれている端末ＩＤが前記位置情報格納部に格納されていなければ、受信した位置登録要求に含まれている端末ＩＤ、自交換機が属する通信事業者の事業者ＩＤ、および当該位置登録要求を送信した移動端末が現在位置している地域の現地時刻を含むローミング情報を、受信した位置登録要求に含まれているホームＩＤに対応する通信事業者の交換機へ送信するローミング情報送信部と、
他の通信事業者の交換機からローミング情報を受信した場合に、当該ローミング情報に含まれている端末ＩＤに対応付けて、当該ローミング情報に含まれている事業者ＩＤをビジタＩＤとして前記位置情報格納部に登録すると共に、当該ローミング情報に含まれている現地時刻と自交換機が位置する地域の現在時刻との時差を算出し、算出した時差を、当該ローミング情報に含まれている端末ＩＤに対応付けて前記位置情報格納部に登録するローミング情報登録部と、
移動端末から、着信先の移動端末の端末ＩＤを含む着信要求を受信した場合に、前記位置情報格納部を参照して、当該端末ＩＤに対応付けられている時差を抽出し、抽出した時差が０でなければ、抽出した時差と現在時刻から着信先の移動端末が位置する地域の現地時刻を算出し、算出した現地時刻および着信を実行するか否かの問い合わせを示す情報を音声により通知する着信確認情報を、発信元の移動端末へ送信する着信確認部と、
前記着信確認部からの問い合わせに応答して発信元の移動端末から着信の実行が指示された場合に、着信先の移動端末の端末ＩＤに対応付けられて前記位置情報格納部に格納されているビジタＩＤに対応する通信事業者の交換機に着信要求を転送する着信転送部と
を備えることを特徴とする交換機。
【請求項２】
請求項１に記載の交換機であって、
自交換機が属する通信事業者が提供するいずれかのサービスに加入している移動端末の端末ＩＤに対応付けて、当該移動端末が加入しているサービスの種別を示すサービス種別を格納するサービス情報格納部をさらに備え、
前記着信確認部は、
移動端末から、着信先の移動端末の端末ＩＤを含む着信要求を受信した場合に、前記位置情報格納部を参照して、当該端末ＩＤに対応付けられている時差が０でなければ、当該端末ＩＤに対応付けられているサービス種別を前記サービス情報格納部から取得し、抽出した時差および着信を実行するか否かの問い合わせと共に、取得したサービス種別に対応する通信方法を利用可能な他の通信方法として音声により通知することを特徴とする交換機。
【請求項３】
請求項１または２に記載の交換機であって、
前記位置情報格納部は、
端末ＩＤに対応付けて、当該端末ＩＤに対応する移動端末の電子メールアドレスをさらに格納し、
前記着信転送部は、
前記着信確認部からの問い合わせに応答して発信元の移動端末から着信のキャンセルが指示された場合に、着信先の移動端末の電子メールアドレスを前記位置情報格納部から抽出し、抽出した電子メールアドレス宛に、発信元の移動端末の端末ＩＤおよび着信があった旨を示す電子メールを送信することを特徴とする交換機。
【請求項４】
請求項１から３のいずれか一項に記載の交換機であって、
前記位置情報格納部は、
端末ＩＤに対応付けて、当該端末ＩＤに対応する移動端末のユーザによって予め登録された音声メッセージをさらに格納し、
前記着信確認部は、
移動端末から、着信先の移動端末の端末ＩＤを含む着信要求を受信した場合に、前記位置情報格納部を参照して、当該端末ＩＤに対応付けられている時差が０でなければ、当該端末ＩＤに対応付けられている音声メッセージを前記位置情報格納部から取得し、抽出した時差および着信を実行するか否かの問い合わせを、発信元の移動端末へ、取得した音声メッセージにより通知することを特徴とする交換機。
【請求項５】
請求項１から３のいずれか一項に記載の交換機であって、
前記位置情報格納部は、
端末ＩＤに対応付けて、当該端末ＩＤに対応する移動端末のユーザによって予め登録された音声メッセージを、当該ユーザによって指定された時間帯毎にさらに格納し、
前記着信確認部は、
移動端末から、着信先の移動端末の端末ＩＤを含む着信要求を受信した場合に、前記位置情報格納部を参照して、当該端末ＩＤに対応付けられている時差が０でなければ、当該端末ＩＤに対応付けられている音声メッセージの中で、着信先の移動端末の現在時刻を含む時間帯に対応付けられている音声メッセージを前記位置情報格納部から取得し、抽出した時差および着信を実行するか否かの問い合わせを、発信元の移動端末へ、取得した音声メッセージにより通知することを特徴とする交換機。
【請求項６】
請求項１から５のいずれか一項に記載の交換機であって、
前記着信確認部は、
移動端末から、着信先の移動端末の端末ＩＤを含む着信要求を受信した場合に、前記位置情報格納部を参照して、当該端末ＩＤに対応付けられている時差を抽出し、抽出した時差が０でなければ、抽出した時差と現在時刻から着信先の移動端末が位置する地域の現地時刻を算出し、算出した現地時刻および着信を実行するか否かの問い合わせを示す情報を画像により通知する着信確認情報を、発信元の移動端末へさらに送信して当該発信元の移動端末に表示させることを特徴とする交換機。
【発明の詳細な説明】
【技術分野】
【０００１】
本発明は、異なる通信事業者間のローミングサービスを実現する交換機に関する。
【背景技術】
【０００２】
下記の特許文献１には、発信時に着信先の移動端末が位置する地域との時差を取得し、取得した時差を元に、着信先の移動端末が位置する地域の現在時刻を算出して発信元の移動端末に表示させる技術が開示されている。
【先行技術文献】
【特許文献】
【０００３】
【特許文献１】特開２００３−１８９３６７号公報
【発明の概要】
【発明が解決しようとする課題】
【０００４】
ところで、上記した特許文献１の技術は、着信先の移動端末が位置する地域の現在時刻を発信元の移動端末の画面への表示により発信者に通知するため、目の不自由な人や、運転中の人のように、移動端末の画面表示を凝視できない人にとっては使いにくい場合がある。また、近年では、機能を絞ることで小型化したり価格を抑えた移動端末が登場している。そのような移動端末では、画面に表示可能な文字や文字数が制限される場合がある。
【０００５】
本発明は上記事情を鑑みてなされたものであり、本発明の目的は、ローミングサービスにおいてより使いやすい移動通信システムを提供することにある。
【課題を解決するための手段】
【０００６】
上記課題を解決するために本発明では、着信先の移動端末が現在位置する地域の現地時刻を、発信側の移動端末の利用者に音声で通知する。
【０００７】
例えば、異なる通信事業者間のローミングサービスを実現する交換機であって、
自交換機が属する通信事業者が提供するサービスに加入している移動端末の端末ＩＤに対応付けて、当該移動端末が現在帰属している他の通信事業者を示すビジタＩＤ、および、当該移動端末が現在位置している地域との時差を格納する位置情報格納部と、
端末ＩＤ、および、当該端末ＩＤに対応する移動端末が属する通信事業者を識別するホームＩＤを含む位置登録要求を受信した場合に、受信した位置登録要求に含まれている端末ＩＤが前記位置情報格納部に格納されていなければ、受信した位置登録要求に含まれている端末ＩＤ、自交換機が属する通信事業者の事業者ＩＤ、および当該位置登録要求を送信した移動端末が現在位置している地域の現地時刻を含むローミング情報を、受信した位置登録要求に含まれているホームＩＤに対応する通信事業者の交換機へ送信するローミング情報送信部と、
他の通信事業者の交換機からローミング情報を受信した場合に、当該ローミング情報に含まれている端末ＩＤに対応付けて、当該ローミング情報に含まれている事業者ＩＤをビジタＩＤとして前記位置情報格納部に登録すると共に、当該ローミング情報に含まれている現地時刻と自交換機が位置する地域の現在時刻との時差を算出し、算出した時差を、当該ローミング情報に含まれている端末ＩＤに対応付けて前記位置情報格納部に登録するローミング情報登録部と、
移動端末から、着信先の移動端末の端末ＩＤを含む着信要求を受信した場合に、前記位置情報格納部を参照して、当該端末ＩＤに対応付けられている時差を抽出し、抽出した時差が０でなければ、抽出した時差と現在時刻から着信先の移動端末が位置する地域の現地時刻を算出し、算出した現地時刻および着信を実行するか否かの問い合わせを示す情報を音声により通知する着信確認情報を、発信元の移動端末へ送信する着信確認部と、
前記着信確認部からの問い合わせに応答して発信元の移動端末から着信の実行が指示された場合に、着信先の移動端末の端末ＩＤに対応付けられて前記位置情報格納部に格納されているビジタＩＤに対応する通信事業者の交換機に着信要求を転送する着信転送部と
を備えることを特徴とする交換機を提供する。
【発明の効果】
【０００８】
本発明の交換機によれば、ローミングサービスにおいてより使いやすい移動通信システムを提供することができる。
【図面の簡単な説明】
【０００９】
【図１】本発明の一実施形態に係る移動通信システム１０の構成を示すシステム構成図である。
【図２】中継交換機２０の機能構成の一例を示すブロック図である。
【図３】位置情報格納部２１に格納されるデータの構造の一例を示す図である。
【図４】ローミング情報を登録する場合の移動通信システム１０の動作の一例を示すシーケンス図である。
【図５】ローミング先の移動端末１４へ着信させる場合の移動通信システム１０の動作の一例を示すシーケンス図である。
【図６】ローミング先の移動端末１４への着信をキャンセルする場合の移動通信システム１０の動作の一例を示すシーケンス図である。
【図７】中継交換機２０の機能を実現するコンピュータ３０の構成の一例を示すハードウェア構成図である。
【発明を実施するための形態】
【００１０】
以下、本発明の実施の形態について、図面を参照しながら説明する。
【００１１】
図１は、本発明の一実施形態に係る移動通信システム１０の構成を示すシステム構成図である。移動通信システム１０は、各通信事業者毎に、関門交換機１２、基地局１３、および中継交換機２０を備える。通信事業者Ａによって提供されるサービスに加入している移動端末１４−２の情報は、通信事業者Ａの中継交換機２０−１に予め登録されている。当該移動端末１４−２が、通信事業者Ａによって管理されている基地局１３のサービスエリア内にある場合、中継交換機２０−１は、自身が管理する基地局１３を介して、当該移動端末１４−２に着信させる。
【００１２】
一方、移動端末１４−２が、通信事業者Ａとは異なる通信事業者Ｂによって管理されている基地局１３−４のサービスエリア内にある場合（即ち、ローミング中の場合）、中継交換機２０−１は、移動端末１４−２への着信を、通信事業者Ｂの中継交換機２０−２に転送し、中継交換機２０−２が、通信事業者Ｂによって管理されている基地局１３を介して、当該移動端末１４−２に着信させる。
【００１３】
本実施形態における中継交換機２０は、他の通信事業者によって管理されている基地局１３のサービスエリア内にある移動端末１４に着信させる場合に、着信先の移動端末１４の現地時刻を音声により発信元の移動端末１４に通知し、着信を実行してよいか否かの確認を発信元の移動端末１４のユーザに促す。
【００１４】
図２は、中継交換機２０の機能構成の一例を示すブロック図である。中継交換機２０は、位置情報格納部２１、ローミング情報登録部２２、着信転送部２３、着信確認部２４、およびローミング情報送信部２５を有する。
【００１５】
位置情報格納部２１には、例えば図３に示すように、それぞれの移動端末１４を識別する端末ＩＤ２１０に対応付けて、当該移動端末１４が帰属中の基地局１３を識別する基地局ＩＤ２１１、当該移動端末１４が帰属中の移動端末１４を管理する他の通信事業者のＩＤを示すビジタＩＤ２１２、当該移動端末１４が位置する地域との時刻の差を示す時差２１３、当該移動端末１４が加入しているサービスの加入状況２１４、および当該移動端末１４の電子メールアドレス２１５が格納される。
【００１６】
図３の各ＩＤを図１のシステム構成図に当てはめた場合、端末ＩＤのＭ００１は移動端末１４−１、Ｍ００２は移動端末１４−２、基地局ＩＤのＢ００１は基地局１３−２、Ｂ１０１は基地局１３−４、ビジタＩＤのＣ００２は中継交換機２０−２となる。
【００１７】
なお、端末ＩＤ２１０、加入状況２１４、およびアドレス２１５の情報は、管理者等によって予め登録される。また、移動端末１４が加入しているサービスとしては、例えば、電子メール、ボイスメール、ショートメッセージ等が考えられる。
【００１８】
次に、図２および図４〜図６を参照しながら、中継交換機２０および移動通信システム１０全体の動作について説明する。図４は、ローミング情報を登録する場合の移動通信システム１０の動作の一例を示すシーケンス図である。なお、図４〜図６における各装置の符号は、図１のシステム構成図に対応している。
【００１９】
まず、通信事業者Ａが提供するサービスに加入している移動端末１４−２は、ローミング先において、通信事業者Ｂによって管理されている基地局１３−４へ位置登録要求を送信する（図４のＳ１００）。なお、位置登録要求には、移動端末１４−２の情報を管理している通信事業者Ａの事業者ＩＤ（ホームＩＤ）、および、自身の端末ＩＤが含まれる。
【００２０】
次に、基地局１３−４は、移動端末１４−２から送信された位置登録要求を、自身の基地局ＩＤおよび現地時刻と共に、中継交換機２０−２へ転送する（Ｓ１０１）。中継交換機２０−２のローミング情報送信部２５は、基地局１３−４から転送された位置登録要求に含まれている端末ＩＤが位置情報格納部２１に登録されているか否かを判定する（Ｓ１０２）。図２に示す例では、移動端末１４−２は、通信事業者Ａが提供するサービスに加入している端末であるため、移動端末１４−２の端末ＩＤは、中継交換機２０−２の位置情報格納部２１に登録されていない。
【００２１】
位置登録要求に含まれている端末ＩＤが位置情報格納部２１に登録されていないため、ローミング情報送信部２５は、移動端末１４−２の端末ＩＤ、基地局１３−４の基地局ＩＤ、ビジタＩＤ、および現地時刻を含むローミング情報を、基地局１３−４から送信された位置登録要求に含まれているホームＩＤに対応する通信事業者の関門交換機１２−１へ、自身が属する通信事業者の関門交換機１２−２を介して送信する（Ｓ１０３）。ここで、ビジタＩＤとは、自身が属する通信事業者の事業者ＩＤであり、現地時刻とは、例えば基地局１３−４が位置する地域の現在時刻である。
【００２２】
次に、中継交換機２０−１のローミング情報登録部２２は、自身が属する通信事業者の関門交換機１２−１を介してローミング情報を受信し、受信したローミング情報に含まれている現地時刻と、中継交換機２０−１に内蔵されている時計（図示せず）が示す現在時刻との時差を算出する（Ｓ１０４）。そして、ローミング情報登録部２２は、算出した時差を、ローミング情報に含まれている基地局ＩＤおよびビジタＩＤと共に、ローミング情報に含まれている端末ＩＤに対応付けて、位置情報格納部２１に登録する（Ｓ１０５）。
【００２３】
ローミング中の移動端末１４−２に着信させる場合、発信元の移動端末１４−１は、自身が帰属している基地局１３−２へ、着信先の移動端末１４−２の端末ＩＤを含む着信要求を発信する（図５のＳ１１０）。基地局１３−２は、受信した着信要求を中継交換機２０−１へ転送する（Ｓ１１１）。
【００２４】
次に、中継交換機２０−１の着信確認部２４は、受信した着信要求に含まれている着信先の移動端末１４−２の端末ＩＤが位置情報格納部２１に登録されており、かつ、ビジタＩＤが対応付けられているか否かを判定することにより、着信先の移動端末１４−２がローミング中か否かを判定する（Ｓ１１２）。
【００２５】
図２に示す例では、移動端末１４−２は、通信事業者Ａが提供するサービスに加入している端末であるため、移動端末１４−２の端末ＩＤは、中継交換機２０−１内の位置情報格納部２１に登録されている。また、移動端末１４−２は、通信事業者Ｂの中継交換機２０−２が管理する基地局１３−４のサービスエリア内に位置しており、ローミング中である。着信先の移動端末１４−２がローミング中であるため、中継交換機２０−１の着信確認部２４は、着信先の移動端末１４−２の端末ＩＤに対応付けられて位置情報格納部２１に登録されている時差を抽出し、抽出した時差が０か否かを判定する（Ｓ１１３）。
【００２６】
時差が０でない場合、着信確認部２４は、当該時差と、中継交換機２０−１に内蔵されている時計が示す現在時刻とに基づいて、着信先の移動端末１４−２が位置する地域の現地時刻を算出する。また、着信確認部２４は、着信先の移動端末１４−２の端末ＩＤに対応付けられて位置情報格納部２１に登録されている加入状況２１４を参照して、着信先の移動端末１４−２に対して利用可能な他の通信方法を特定する（Ｓ１１４）。
【００２７】
そして、着信確認部２４は、算出した現地時刻、着信を実行するか否かを問い合わせる情報、および他の通信方法を音声で通知するための着信確認情報を基地局１３−２を介して発信元の移動端末１４−１へ送信する（Ｓ１１５、Ｓ１１６）。移動端末１４−１は、受信した着信確認情報に基づいて、着信先の移動端末１４−２の現地時刻、着信を実行するか否かを問い合わせる情報、および実行可能な他の通信方法を音声により発信者に通知する。
【００２８】
次に、発信者から着信の実行を指示された場合、発信元の移動端末１４−１は、着信先の移動端末１４−２の端末ＩＤを含む着信実行要求を、基地局１３−２を介して中継交換機２０−１へ送信する（Ｓ１１７、Ｓ１１８）。中継交換機２０−１の着信転送部２３は、着信実行要求を受信した場合に、位置情報格納部２１の位置情報格納部２１を参照して、当該着信実行要求に含まれている着信先の移動端末１４−２の端末ＩＤに対応付けられている基地局ＩＤおよびビジタＩＤを抽出し（Ｓ１１９）、端末ＩＤおよび抽出した基地局ＩＤを含む着信要求を、抽出したビジタＩＤに対応する通信事業者の関門交換機１２−２へ、自身が属する通信事業者の関門交換機１２−１を介して送信する（Ｓ１２０）。
【００２９】
中継交換機２０−２の着信転送部２３は、中継交換機２０−１から着信要求を受信した場合に、受信した着信要求を、当該着信要求に含まれている基地局ＩＤに対応する基地局１３−４へ転送する（Ｓ１２１）。基地局１３−４は、転送された着信要求に含まれている端末ＩＤに対応する移動端末１４−２へ着信させる（Ｓ１２２）。
【００３０】
また、発信元の移動端末１４−１が、受信した着信確認情報に基づいて、着信先の移動端末１４−２の現地時刻、着信を実行するか否かを問い合わせる情報、および実行可能な他の通信方法を音声により発信者に通知した後に、発信者から着信のキャンセルを指示された場合、移動端末１４−１は、着信先の移動端末１４−２の端末ＩＤを含む着信キャンセル要求を、基地局１３−２を介して中継交換機２０−１へ送信する（図６のＳ１３０、Ｓ１３１）。
【００３１】
中継交換機２０−１の着信転送部２３は、着信キャンセル要求を受信した場合に、位置情報格納部２１を参照して、当該着信キャンセル要求に含まれている着信先の移動端末１４−２の端末ＩＤに対応付けられている電子メールアドレスを抽出し（Ｓ１３２）、発信元の移動端末１４−１に関する情報や着信時刻等を含む着信履歴を、抽出した電子メールアドレス宛に送信する（Ｓ１３３）。
【００３２】
中継交換機２０−２の着信転送部２３は、外部のメールサーバ等を介して着信履歴を含む電子メールを受信した場合に、受信した電子メールを、宛先の移動端末１４−２へ基地局１３−４を介して送信する（Ｓ１３４、Ｓ１３５）。これにより、着信先の移動端末１４−２のユーザは、着信があったことを認識することができ、ユーザが位置する地域が深夜であっても、ユーザが希望すれば着信の内容を問い合わせるために発信元に連絡を取ることができる。
【００３３】
ところで、図４〜図６の動作説明では、移動端末１４−１を発信元の端末として説明したが、ローミング中の移動端末１４−２が発信元になり、移動端末１４−１に着信させる場合も考えられるし、発信元と着信先双方の移動端末がローミング中での着信要求も考えられる。
【００３４】
例えば、ローミング中の移動端末１４−２が発信元になり、移動端末１４−１に着信させる場合、移動端末１４−２の着信要求は基地局１３-４、中継交換機２０−２などを経由して、移動端末１４−２がサービス加入している中継交換機２０−１に転送される。中継交換機２０−１の着信確認部２４は、受信した着信要求に含まれている着信先の移動端末１４−１の端末ＩＤが位置情報格納部２１に登録されており、かつ、発信元と着信先の一方または双方にビジタＩＤが対応付けられているか否かを判定することにより、発信元の移動端末１４−２がローミング中であると判定することできる。
【００３５】
上記のように、発信元と着信先双方の移動端末がローミング中であるか否かを判定すれば、中継交換機自身に内蔵されている時計と、位置情報格納部の時差を比較することにより、発信元の移動端末と着信先の移動端末に時差がある場合、発信元に着信先の現地時刻、着信を実行するか否かを問い合わせる情報などを通知することが可能となる。
【００３６】
図７は、中継交換機２０の機能を実現するコンピュータ３０の構成の一例を示すハードウェア構成図である。コンピュータ３０は、ＣＰＵ（Central Processing Unit）３１、ＲＡＭ（Random Access Memory）３２、ＲＯＭ（Read Only Memory）３３、ＨＤＤ（Hard Disk Drive）３４、通信インターフェイス（Ｉ／Ｆ）３５、入出力インターフェイス（Ｉ／Ｆ）３６、およびメディアインターフェイス（Ｉ／Ｆ）３７を備える。
【００３７】
ＣＰＵ３１は、ＲＯＭ３３またはＨＤＤ３４に格納されたプログラムに基づいて動作し、各部の制御を行う。ＲＯＭ３３は、コンピュータ３０の起動時にＣＰＵ３１によって実行されるブートプログラムや、コンピュータ３０のハードウェアに依存するプログラム等を格納する。
【００３８】
ＨＤＤ３４は、ＣＰＵ３１によって実行されるプログラムおよび当該プログラムによって使用されるデータ等を格納する。通信インターフェイス３５は、通信回線を介して他の機器からデータを受信してＣＰＵ３１へ送ると共に、ＣＰＵ３１が生成したデータを、通信回線を介して他の機器へ送信する。
【００３９】
ＣＰＵ３１は、入出力インターフェイス３６を介して、キーボードやマウス等の入力装置やディスプレイ等の出力装置を制御し、入出力インターフェイス３６を介して入力装置からデータを取得したり、生成したデータを入出力インターフェイス３６を介して出力装置へ出力する。
【００４０】
メディアインターフェイス３７は、記録媒体３８に格納されたプログラムまたはデータを読み取り、ＲＡＭ３２を介してＣＰＵ３１に提供する。ＣＰＵ３１は、当該プログラムを、メディアインターフェイス３７を介して記録媒体３８からＲＡＭ３２上にロードし、ロードしたプログラムを実行する。記録媒体３８は、例えばＤＶＤ（Digital Versatile Disk）、ＰＤ（Phase change rewritable Disk）等の光学記録媒体、ＭＯ（Magneto-Optical disk）等の光磁気記録媒体、テープ媒体、磁気記録媒体、または半導体メモリ等である。
【００４１】
コンピュータ３０のＣＰＵ３１は、ＲＡＭ３２上にロードされたプログラムを実行することにより、位置情報格納部２１、ローミング情報登録部２２、着信転送部２３、着信確認部２４、およびローミング情報送信部２５の各機能を実現する。ＲＯＭ３３またはＨＤＤ３４には、位置情報格納部２１内のデータが格納される。
【００４２】
コンピュータ３０のＣＰＵ３１は、これらのプログラムを、記録媒体３８から読み取って実行するが、他の例として、他の装置から、通信媒体を介してこれらのプログラムを取得してもよい。通信媒体とは、通信回線、または、当該通信回線を伝搬するディジタル信号もしくは搬送波を指す。
【００４３】
以上、本発明の実施の形態について説明した。
【００４４】
上記説明から明らかなように、本実施形態の中継交換機２０によれば、ローミングサービスにおいてより使いやすい移動通信システム１０を提供することができる。
【００４５】
なお、本発明は、上記した実施形態に限定されるものではなく、その要旨の範囲内で数々の変形が可能である。
【００４６】
例えば、上記した実施形態では、ローミング中の着信先の状況を通知する音声は、中継交換機２０に予め設定されている音声および内容であるが、本発明はこれに限られない。例えば、ローミング中の着信先の状況を通知する音声は、着信先の移動端末１４のユーザが予めホーム事業者の中継交換機２０に登録した音声を用いるようにしてもよい。これにより、着信者が用いたい言語での音声案内が可能になると共に、間違い電話を防止することができる。
【００４７】
また、ローミング中の着信先の状況を通知する音声は、着信先の移動端末１４が位置する地域の時間帯毎に異なる音声または内容であってもよい。また、上記した実施形態では、ローミング中の着信先の状況を音声で通知するが、本発明はこれに限られず、ローミング中の着信先の状況をさらに画面表示により通知するようにしてもよい。これにより、電磁波の人体への影響を気にして、通話中以外は極力移動端末１４を耳にあてないようにしている人に対しても本発明の利便性を提供することができる。
【００４８】
また、上記した実施形態では、発信元および着信先の端末が携帯電話等の移動端末であるが、本発明はこれに限られず、発信元または着信先の少なくともいずれか一方が有線接続のいわゆる固定電話であってもよい。
【００４９】
また、中継交換機２０に料金体系データベースを内蔵すれば、電話接続時における単位時間当たりの通話料金が算出可能になり、この通話料金についても着信確認情報として加えれば、発信者に対するさらなる利便性の向上が可能となる。
【符号の説明】
【００５０】
１０・・・移動通信システム、１１・・・国際通信網、１２・・・関門交換機、
１３・・・基地局、１４・・・移動端末、２０・・・中継交換機、
２１・・・位置情報格納部、２１０・・・端末ＩＤ、２１１・・・基地局ＩＤ、
２１２・・・ビジタＩＤ、２１３・・・時差、２１４・・・加入状況、
２１５・・・アドレス、２２０・・・ビジタテーブル、２２１・・・端末ＩＤ、
２２２・・・基地局ＩＤ、２２・・・ローミング情報登録部、２３・・・着信転送部、
２４・・・着信確認部、２５・・・ローミング情報送信部、３０・・・コンピュータ、
３１・・・ＣＰＵ、３２・・・ＲＡＭ、３３・・・ＲＯＭ、３４・・・ＨＤＤ、
３５・・・通信インターフェイス、３６・・・入出力インターフェイス、
３７・・・メディアインターフェイス、３８・・・記録媒体
【図１】
2011019105.tif 000003
【図２】
2011019105.tif 000004
【図３】
2011019105.tif 000005
【図４】
2011019105.tif 000006
【図５】
2011019105.tif 000007
【図６】
2011019105.tif 000008
【図７】
2011019105.tif 000009